(57)【要約】【課題】負圧が生じた際に、内窓の障子が外れることを抑制できる二重サッシを提供する。【解決手段】二重サッシ１００は、上枠４１及び下枠には、それぞれ下方及び上方に向かって突出する突出部４１２，４２２が設けられ、障子５０Ａ，５０Ｂの上端部及び下端部には、それぞれ下方及び上方に凹むとともに、突出部４１２，４２２の先端部が配置される凹溝５３８が形成され、内窓４の上端部及び内窓４の下端部の少なくとも一方において、凹溝５３８における第一面４１４，４２４と対向する第二面５３７には、対向する側に向かって突出する負圧当接部５６０が設けられ、負圧当接部５６０と、突出部４１２，４２２の第一面４１４，４２４及び凹溝５３８の第二面５３７の他方との間には隙間ＳＡが形成されていることを特徴とする。【選択図】図５
2019116769.tif 000002
【特許請求の範囲】
【請求項１】
建築物の開口部に設置され、外窓及び該外窓の屋内側に配置された内窓を備えた二重サッシであって、
前記外窓は、屋内側から屋外側に向かう圧力が生じた際に、空気が屋内側から屋外側に流通可能となり、
前記内窓は、上枠、下枠及び左右の縦枠が枠組みして構成された枠体と、該枠体内にスライド可能に配置された障子と、を有し、
前記上枠及び前記下枠には、前記障子側に向かって突出する突出部が設けられ、
前記障子の上端部及び下端部には、前記障子側から離間する方向に凹むとともに、前記突出部の先端部が配置される凹溝が形成され、
前記内窓の上端部及び前記内窓の下端部の少なくとも一方において、前記突出部における屋内側を向く第一面及び前記凹溝における前記第一面と対向する第二面の少なくとも一方には、それぞれ対向する側に向かって突出する負圧当接部が設けられ、
該負圧当接部と、前記突出部の前記第一面及び前記凹溝の前記第二面の他方との間には隙間が形成されていることを特徴とする二重サッシ。
【請求項２】
前記凹溝において、左右方向の両端部には、前記突出部側に突出する振れ止め部が設けられ、
前記負圧当接部は、正面視で、前記振れ止め部と異なる位置に配置されている請求項１に記載の二重サッシ。
【請求項３】
前記負圧当接部が前記障子の上端部に形成されている場合には、前記負圧当接部の上端部は、前記障子の上端部よりも上方に延び、
前記負圧当接部が前記障子の下端部に形成されている場合には、前記負圧当接部の下端部は、前記障子の下端部よりも下方に延びている請求項１または２に記載の二重サッシ。
【請求項４】
前記障子の上端部に形成された前記負圧当接部の屋外側の面は、上方に向かうにしたがって次第に屋内側に向かうように傾斜する上部傾斜部が形成されている請求項３に記載の二重サッシ。
【発明の詳細な説明】
【技術分野】
【０００１】
本発明は、二重サッシに関するものである。
【背景技術】
【０００２】
従来から、防音性や断熱性の向上のために、建築物の開口部に外窓及び内窓を設けた二重サッシが知られている（例えば、特許文献１参照）。また、北海道等の寒冷地では、断熱性をさらに向上させるために、内窓に樹脂製のサッシが採用されることがある。
【０００３】
外窓及び内窓が引違いサッシの場合、正圧（屋外側から屋内側に向かう圧力）に対して、気密性を確保する構造とされている。そして、正圧が生じると、内窓には外窓に作用する圧力の約１割の大きさの圧力が作用し、負圧（屋内側から屋外側に向かう圧力）が生じると、内窓には外窓に作用する圧力の約８割の大きさの圧力が作用することが確認されている。
【先行技術文献】
【特許文献】
【０００４】
【特許文献１】実公昭６０−２８７６８号公報
【発明の概要】
【発明が解決しようとする課題】
【０００５】
中高層建築物のように障子に作用する風圧が大きい建築物で、内窓が負圧に耐えられず、内窓の障子が枠から外れたり、外れた障子が倒れてガラスが破損したりする虞がある。
【０００６】
そこで、本発明は、上記事情に鑑みてなされたものであり、負圧が生じた際に、内窓の障子が外れることを抑制できる二重サッシを提供する。
【課題を解決するための手段】
【０００７】
上記目的を達成するために、本発明は以下の手段を採用している。
すなわち、本発明に係る二重サッシは、建築物の開口部に設置され、外窓及び該外窓の屋内側に配置された内窓を備えた二重サッシであって、前記外窓は、屋内側から屋外側に向かう圧力が生じた際に、空気が屋内側から屋外側に流通可能となり、前記内窓は、上枠、下枠及び左右の縦枠が枠組みして構成された枠体と、該枠体内にスライド可能に配置された障子と、を有し、前記上枠及び前記下枠には、前記障子側に向かって突出する突出部が設けられ、前記障子の上端部及び下端部には、前記障子側から離間する方向に凹むとともに、前記突出部の先端部が配置される凹溝が形成され、前記内窓の上端部及び前記内窓の下端部の少なくとも一方において、前記突出部における屋内側を向く第一面及び前記凹溝における前記第一面と対向する第二面の少なくとも一方には、それぞれ対向する側に向かって突出する負圧当接部が設けられ、該負圧当接部と、前記突出部の前記第一面及び前記凹溝の前記第二面の他方との間には隙間が形成されていることを特徴とする。
【０００８】
このように構成された二重サッシでは、外窓及び内窓が閉塞された閉塞状態で、負圧が生じた際に、内窓の障子は屋外側に移動する。負圧当接部が突出部の第一面に設けられている場合には、負圧当接部は凹溝において第一面と対向する第二面に当接し、負圧当接部が凹溝の第二面に設けられている場合には、負圧当接部は突出部の第一面に当接する。これにより、突出部の第一面と凹溝の第二面との間には、負圧当接部が設けられている箇所以外の箇所において、負圧当接部の突出厚み分の隙間が形成される。空気は、当該隙間を通過する。また、外窓では、負圧が生じた際に、空気が屋内側から屋外側に流通可能となる。よって、負圧が生じた際に、内窓の屋内側から外窓の屋外側まで連通した空気の流路ができるため、内窓の屋内側と屋外側との圧力差（内窓に作用する圧力）を低減させることができ、内窓の障子が枠体から外れることが抑制される。
【０００９】
また、本発明に係る二重サッシは、前記凹溝において、左右方向の両端部には、前記突出部側に突出する振れ止め部が設けられ、前記負圧当接部は、正面視で、前記振れ止め部と異なる位置に配置されていることが好ましい。
【００１０】
このように構成された二重サッシでは、負圧当接部は、正面視で、凹溝の左右方向の両端部に設けられた振れ止め部と異なる位置に配置されている。よって、障子の左右方向の両端部では屋内外方向に移動が抑制されるとともに、振れ止め部及び負圧当接部が設けられている箇所以外の箇所において、負圧当接部の突出厚み分の隙間を確実に形成することができる。
【００１１】
また、本発明に係る二重サッシでは、前記負圧当接部が前記障子の上端部に形成されれている場合には、前記負圧当接部の上端部は、前記障子の上端部よりも上方に延び、前記負圧当接部が前記障子の下端部に形成されれている場合には、前記負圧当接部の下端部は、前記障子の下端部よりも下方に延びていてもよい。
【００１２】
このように構成された二重サッシでは、負圧当接部が障子の上端部に設けられている場合には、負圧当接部の上端部は障子の上端部よりも上方に延び、負圧当接部が障子の下端部に設けられている場合には、負圧当接部の下端部は、障子の下端部よりも下方に延びている。よって、負圧当接部と突出部とが屋内外方向に重なる上下方向に長さ（かかり代）を長く確保することができるため、内窓の障子が枠体から外れることが一層抑制される。
【００１３】
また、本発明に係る二重サッシは、前記障子の上端部に形成された前記負圧当接部の屋外側の面は、上方に向かうにしたがって次第に屋内側に向かうように傾斜する上部傾斜部が形成されていてもよい。
【００１４】
このように構成された二重サッシでは、負圧当接部が障子の上端部に設けられている場合には、負圧当接部の上端部における屋外側を向く面に、上方に向かうにしたがって次第に屋内側に向かうように傾斜する上部傾斜部が形成されている。よって、負圧当接部が突出部に接触した場合でも、上部傾斜部が突出部に案内されるため、建て込みやすい。
【発明の効果】
【００１５】
本発明に係る二重サッシによれば、負圧が生じた際に、内窓の外障子及び内障子が外れることを抑制できる。
【図面の簡単な説明】
【００１６】
【図１】本発明の一実施形態に係る二重サッシを屋内側から見た正面図である。
【図２】図１のＡ−Ａ線断面図である。
【図３】図１のＢ−Ｂ線断面図である。
【図４】図２のＣ部拡大図である。
【図５】図２のＤ部拡大図である。
【図６】図２のＥ部拡大図である。
【図７】本発明の一実施形態に係る二重サッシの内窓において、負圧が生じた際の外障子及び内障子の上部を示し、屋内外方向及び鉛直方向に沿う断面図である。
【図８】本発明の一実施形態に係る二重サッシの外窓において、負圧が生じた際の挙動を示し、屋内外方向及び鉛直方向に沿う断面図である。
【発明を実施するための形態】
【００１７】
以下、本発明の一実施形態に係る二重サッシについて、図１から図８に基づいて説明する。
図１は、本発明の一実施形態に係る二重サッシを屋内側から見た正面図である。図２は、図１のＡ−Ａ線断面図である。図３は、図１のＢ−Ｂ線断面図である。
図１から図３に示すように、二重サッシ１００は、建築物の壁部Ｗの開口部Ｐに設けられ、屋外側に配置された外窓１と、屋内側に配置された内窓４と、を備えている。
なお、以下の説明において、屋外側と屋内側とを結ぶ方向を屋内外方向と称する。また、屋内外方向と直交する方向のうち水平方向に沿う方向を左右方向と称する。また、屋内側から見て左側、右側を、それぞれ左側、右側と称する。
【００１８】
図２及び図３に示すように、外窓１は、開口部Ｐに設けられ四角形枠状に形成された枠体１０と、枠体１０に対して左右方向にスライド可能に設けられた外障子２０Ａ、内障子２０Ｂ及び網戸３０と、を有している。外窓１は、いわゆる引違いサッシである。
【００１９】
枠体１０は、左右方向に延在する上枠１１及び下枠１２と、上枠１１の両端部と下枠１２の両端部とをそれぞれ連結し上下方向に延在する縦枠１３と、を有している。本実施形態では、枠体１０は、アルミ製の押出成形部材で構成されている。
【００２０】
外障子２０Ａは枠体１０の屋外側に設けられ、内障子２０Ｂは枠体１０の屋内側に設けられている。外障子２０Ａ及び内障子２０Ｂが閉じた状態で、外障子２０Ａ及び内障子２０Ｂが枠体１０内を閉塞するように配置されている。外障子２０Ａ及び内障子２０Ｂは、それぞれ四方枠状に形成された框体２１と、框体２１内に納められたガラス２９と、を有している。
【００２１】
各框体２１は、左右方向に延在する上框２２及び下框２３と、上框２２の両端部と下框２３の両端部とをそれぞれ連結し上下方向に延在する戸先框２４及び召合せ框２５と、を有している。本実施形態では、框体２１は、アルミ製の押出成形部材で構成されている。
【００２２】
各框２２，２３，２４，２５においてガラス２９側を向く各端面（内周面）には、外方に向かって凹むガラス保持溝２７が形成されている。ガラス保持溝２７内には、ガラス２９の周縁部が嵌め込まれている。
【００２３】
外障子２０Ａと内障子２０Ｂとは、互いの召合せ框２５に設けられたクレセント錠（不図示）をロックすることによりスライド移動がロックされ、クレセント錠を解除することによりスライド移動が可能となるように構成されている。
【００２４】
網戸３０は、四方枠状に形成された網戸框体３１と、網戸框体３１内に設けられた網戸本体３９とを有している。網戸框体３１は、左右方向に延在する網戸上框３２及び網戸下框３３と、網戸上框３２の両端部と網戸下框３３の両端部とをそれぞれ連結し上下方向に延在する網戸縦框３４と、を有している。
【００２５】
図１に示すように、内窓４は、開口部Ｐに設けられ四角形枠状に形成された枠体４０と、枠体４０に対して左右方向にスライド可能に設けられた外障子５０Ａ及び内障子５０Ｂと、を有している。内窓４は、いわゆる引違いサッシである。
【００２６】
枠体４０は、左右方向に延在する上枠４１及び下枠４２と、上枠４１の両端部と下枠４２の両端部とをそれぞれ連結し上下方向に延在する縦枠４３と、を有している。本実施形態では、枠体４０は、合成樹脂製の押出成形部材で構成されている。
【００２７】
外障子５０Ａは枠体４０の屋外側に設けられ、内障子５０Ｂは枠体４０の屋内側に設けられている。外障子５０Ａ及び内障子５０Ｂが閉じた状態で、外障子５０Ａ及び内障子５０Ｂが枠体４０内を閉塞するように配置されている。外障子５０Ａ及び内障子５０Ｂは、それぞれ四方枠状に形成された框体５１と、框体５１内に納められたガラス５９と、を有している。
【００２８】
各框体５１は、左右方向に延在する上框５２及び下框５３と、上框５２の両端部と下框５３の両端部とをそれぞれ連結し上下方向に延在する戸先框５４及び召合せ框５５と、を有している。本実施形態では、框体５１は、合成樹脂製の押出成形部材で構成されている。
【００２９】
図２及び図３に示すように、各框５２，５３，５４，５５においてガラス５９側を向く各端面（内周面）には、外方に向かって凹むガラス保持溝５７が形成されている。ガラス保持溝５７内には、ガラス５９の周縁部が嵌め込まれている。
【００３０】
外障子５０Ａと内障子５０Ｂとは、互いの召合せ框５５に設けられたクレセント錠５５０（図１参照。以下同じ。）をロックすることによりスライド移動がロックされ、クレセント錠５５０を解除することによりスライド移動が可能となるように構成されている。
【００３１】
次に、各部の構成について詳細に説明する。
まず、外窓１の上枠１１について説明する。
図４は、図２のＣ部拡大図である。
図４に示すように、上枠１１は、上枠板部１１１と、上枠板部１１１から下方に延びる網戸突出枠壁部１１２、屋外側突出枠壁部１１３、屋内側突出枠壁部１１４及び下向き枠壁部１１５と、を有している。網戸突出枠壁部１１２、屋外側突出枠壁部１１３、屋内側突出枠壁部１１４、下向き枠壁部１１５は、この順に屋外側から屋内側に向かって配置されている。
【００３２】
上枠板部１１１は、平板状に形成され、板厚方向を上下方向に向けて配置されている。上枠板部１１１は、建築物の躯体Ｑに螺子等で固定されている。
【００３３】
網戸突出枠壁部１１２、屋外側突出枠壁部１１３、屋内側突出枠壁部１１４及び下向き枠壁部１１５は、平板状に形成され、板厚方向を屋内外方向に向けて配置されている。
【００３４】
下向き枠壁部１１５の下端部には、屋内側に向けて延びる取付壁部１１６が設けられている。取付壁部１１６は、平板状に形成され、板厚方向を上下方向に向けて配置されている。取付壁部１１６は、開口部Ｐの上端に設けられた上額縁Ｒの下面に螺子等で固定されている。
【００３５】
次に、外窓１の外障子２０Ａの上框２２について説明する。
上框２２は、屋外側に配置される上外板部２２１と、屋内側に配置される上内板部２２２と、上外板部２２１と上内板部２２２とを連結する上連結板部２２３と、を有している。
【００３６】
上外板部２２１及び上内板部２２２は、平板状に形成され、板厚方向を屋内外方向に向けて配置されている。
【００３７】
上連結板部２２３は、上外板部２２１の上下方向の中間と上内板部２２２の上下方向の中間とを連結している。
【００３８】
上外板部２２１の上部には、屋内側に向かって延びる一対の延出壁部２２６，２２７が設けられている。一対の延出壁部２２６，２２７は、上下方向に間隔を有して配置されている。延出壁部２２６は、延出壁部２２７の上方に配置されている。
【００３９】
延出壁部２２６の屋内側の端部には、下方に延びる下向き係止片２２６ａが設けられている。延出壁部２２７の屋内側の端部には、上方に延びる上向き係止片２２７ａが設けられている。
【００４０】
上外板部２２１の上端部には、気密材２２９が設けられている。気密材２２９は、上外板部２２１及び延出壁部２２６，２２７で囲まれた空間内に設けられる固定部２２９ａと、固定部２２９ａから屋内側に延びる気密片２２９ｂと、を有している。気密片２２９ｂの屋内側の端部は、上枠１１の屋外側突出枠壁部１１３の屋外側の面に当接している。上内板部２２２には、気密材が設けられていない。
【００４１】
外窓１の内障子２０Ｂの上框２２の構成は、外障子２０Ａの上框２２の構成と同様であり、同様に構成については同一の符号を付して説明を省略する。外窓１の内障子２０Ｂにも、気密材２２９が設けられている。内障子２０Ｂに設けられた気密片２２９ｂの屋内側の端部は、上枠１１の屋内側突出枠壁部１１４の屋外側の面に当接している。内障子２０Ｂの上内板部２２２には、気密材が設けられていない。
【００４２】
次に、外窓１の外障子２０Ａの戸先框２４（図３参照。以下同じ。）及び召合せ框２５（図３参照。以下同じ。）に設けられた振れ止め部材２２４について説明する。
【００４３】
図３に示すように、戸先框２４及び召合せ框２５には、それぞれ内部に上下方向全体にわたって框空間部Ｔ１が形成されている。框空間部Ｔ１の上端部には、それぞれ振れ止め部材２２４（図４参照）が挿入配置されている。各框空間部Ｔ１内には、金属製の縦框芯材Ｚ１が設けられている。
【００４４】
図４に示すように、各振れ止め部材２２４は、框空間部Ｔ１（図３参照。以下同じ。）内で屋外側に配置された屋外側振れ止め部２２４ａと、框空間部Ｔ１内で屋内側に配置された屋内側振れ止め部２２４ｃと、屋外側振れ止め部２２４ａの下端部と屋内側振れ止め部２２４ｃの下端部とを連結する下部振れ止め部２２４ｂと、を有している。屋外側振れ止め部２２４ａ、屋内側振れ止め部２２４ｃ及び下部振れ止め部２２４ｂは、一体として形成されている。屋外側振れ止め部２２４ａと屋内側振れ止め部２２４ｃとの間に、上枠１１の屋外側突出枠壁部１１３が配置されている。屋外側振れ止め部２２４ａと屋内側振れ止め部２２４ｃとで屋外側突出枠壁部１１３を屋内外方向に挟み込むことで、外障子２０Ａの屋内外方向の移動が規制されている。
【００４５】
次に、外窓１の内障子２０Ｂの戸先框２４及び召合せ框２５に設けられた振れ止め部材２２５について説明する。
【００４６】
各振れ止め部材２２５は、框空間部Ｔ１内で屋外側に配置された屋外側振れ止め部２２５ａと、框空間部Ｔ１内で屋内側に配置された屋内側振れ止め部２２５ｃと、屋外側振れ止め部２２５ａの下端部と屋内側振れ止め部２２５ｃの下端部とを連結する下部振れ止め部（不図示）と、を有している。屋外側振れ止め部２２５ａ、屋内側振れ止め部２２５ｃ及び下部振れ止め部は、一体として形成されている。屋外側振れ止め部２２５ａと屋内側振れ止め部２２５ｃとの間に、上枠１１の屋内側突出枠壁部１１４が配置されている。屋外側振れ止め部２２５ａと屋内側振れ止め部２２５ｃとで屋内側突出枠壁部１１４を屋内外方向に挟み込むことで、内障子２０Ｂの屋内外方向の移動が規制されている。
【００４７】
次に、外窓１の網戸縦框３４（図３参照。以下同じ。）について説明する。
網戸縦框３４の上端部には、上端部から下方に向かって凹む係合溝３２１が形成された網戸振れ止め部３２２が設けられている。係合溝３２１内に、外窓１の上枠１１の網戸突出枠壁部１１２が配置され、網戸３０の屋内外方向の移動が規制されている。
【００４８】
次に、内窓４の上枠４１について説明する。
図５は、図２のＤ部拡大図である。
図５に示すように、上枠４１は、上枠板部４１１と、上枠板部４１１から下方に延びる屋外側突出部（突出部）４１２、屋内側突出部（突出部）４２２及び下向き枠壁部４２９と、を有している。屋外側突出部４１２、屋内側突出部４２２、下向き枠壁部４２９は、この順に屋外側から屋内側に向かって配置されている。
【００４９】
上枠板部４１１は、平板状に形成され、板厚方向を上下方向に向けて配置されている。上枠板部４１１は、上額縁Ｒの下面に螺子等で固定されている。
【００５０】
屋外側突出部４１２は、上枠板部４１１から下方に延び、屋内外方向に間隔を有して配置された一対の屋外側突出枠壁部４１３，４１４と、一対の屋外側突出枠壁部４１３，４１４の下端部どうしを連結する屋外側連結枠壁部４１５と、を有している。屋外側突出枠壁部４１３は、屋外側突出枠壁部４１４よりも屋外側に配置されている。
【００５１】
屋内側突出部４２２は、上枠板部４１１から下方に延び、屋内外方向に間隔を有して配置された一対の屋内側突出枠壁部４２３，４２４と、一対の屋内側突出枠壁部４２３，４２４の下端部どうしを連結する屋内側連結枠壁部４２５と、を有している。屋内側突出枠壁部４２３は、屋内側突出枠壁部４２４よりも屋外側に配置されている。
【００５２】
下向き枠壁部４２９は、平板状に形成され、板厚方向を屋内外方向に向けて配置されている。
【００５３】
次に、内窓４の外障子５０Ａの上框５２について説明する。
上框５２は、屋外側に配置される上外板部５２１と、屋内側に配置される上内板部５２２と、上外板部５２１と上内板部５２２とを連結する上連結板部５２３と、を有している。
【００５４】
上外板部５２１及び上内板部５２２は、平板状に形成され、板厚方向を屋内外方向に向けて配置されている。
【００５５】
上連結板部５２３は、平板状に形成され、板厚方向を上下方向に向けて配置されている。上連結板部５２３は、上外板部５２１の上下方向の中間と上内板部５２２の上下方向の中間とを連結している。
【００５６】
上外板部５２１の上端部には、屋内側に向かって延びる延出壁部５２６が設けられている。延出壁部５２６の屋内側の端部には、下方に向かって延びる取付壁部５２７が設けられている。
【００５７】
取付壁部５２７の屋内側の面には、気密材５２９が設けられている。気密材５２９は、取付壁部５２７に固定される固定部５２９ａと、固定部５２９ａの下端部から屋内側に向かうにしたがって次第に上方に向かって延びる気密片５２９ｂと、を有している。気密片５２９ｂの屋内側の端部（上端部）は、上枠４１の屋外側突出枠壁部４１３の屋外側の面に当接している。
【００５８】
上内板部５２２の上端部には、屋外側に向かって延びる延出壁部５３６が設けられている。延出壁部５３６の屋外側の端部には、下方に向かって延びる取付壁部５３７が設けられている。
【００５９】
上外板部５２１、延出壁部５２６、取付壁部５２７、上連結板部５２３、上内板部５２２、延出壁部５３６及び取付壁部５３７により、外障子５０Ａの上端部から下方に凹む上部凹溝（凹溝）５３８が形成されている。上部凹溝５３８内には、屋外側突出部４１２の先端部（下端部）が配置されている。
【００６０】
取付壁部５３７における屋外側を向く面（第二面）には、屋外側（対向する屋外側突出部４１２側）に向かって突出する調整材（負圧当接部）５６０が設けられている。
【００６１】
本実施形態では、調整材５６０は、上框５２の左右方向の略中央に設けられている。調整材５６０は、上框５２の左右方向の少なくとも一箇所に設けられていればよく、複数箇所に設けられていてもよい。また、上框５２の左右方向には、調整材５６０が設けられていない箇所がある。
【００６２】
調整材５６０は、基部５６１と、基部５６１から上方に突出し屋内外方向に離間して配置された一対の第一壁部５６２及び第二壁部５６３と、を有している。第一壁部５６２は、第二壁部５６３よりも屋外側に配置されている。
【００６３】
第一壁部５６２は、取付壁部５３７の屋外側の面に沿って配置されている。第一壁部５６２は、屋外側突出部４１２の屋外側突出枠壁部４１４の屋内側を向く面（第一面）と隙間ＳＡを有して屋内側に配置されている。
【００６４】
第一壁部５６２の上端部は、延出壁部５３６よりも上方に延びている。第一壁部５６２の上端部における屋外側を向く面には、上方に向かうにしたがって次第に屋内側に向かうように傾斜する上部傾斜部５６４が形成されている。
【００６５】
第二壁部５６３は、取付壁部５３７と上内板部５２２との間に配置されている。第二壁部５６３と第一壁部５６２とにより、取付壁部５３７を屋内外方向に挟み込んでいる。
【００６６】
内窓４の内障子５０Ｂの上框５２の構成は、外障子５０Ａの上框５２の構成と同様であり、同様に構成については同一の符号を付して説明を省略する。内障子５０Ｂの上部凹溝５３８内には、屋内側突出部４２２の先端部（下端部）が配置されている。内窓４の内障子５０Ｂにも、気密材５２９及び調整材５６０が設けられている。気密材５２９の気密片５２９ｂの屋内側の端部（上端部）は、上枠４１の屋内側突出枠壁部４２３の屋外側の面に当接している。調整材５６０は、屋内側突出枠壁部４２４の屋内側を向く面（第一面）と隙間ＳＡを有して配置されている。
【００６７】
次に、内窓４の外障子５０Ａの戸先框５４（図３参照。以下同じ。）及び召合せ框５５（図３参照。以下同じ。）に設けられた振れ止め部材５２４（振れ止め部）（破線参照）について説明する。
【００６８】
図３に示すように、戸先框５４及び召合せ框５５には、それぞれ内部に上下方向全体にわたって框空間部Ｔ２が形成されている。框空間部Ｔ２の上端部には、それぞれ振れ止め部材５２４（図５参照）が挿入配置されている。
【００６９】
図５に示すように、各振れ止め部材５２４は、框空間部Ｔ２（図３参照。以下同じ。）内で屋外側に配置された屋外側振れ止め部５２４ａと、框空間部Ｔ２内で屋内側に配置された屋内側振れ止め部５２４ｃと、屋外側振れ止め部５２４ａの下端部と屋内側振れ止め部５２４ｃの下端部とを連結する下部振れ止め部５２４ｂと、を有している。屋外側振れ止め部５２４ａ、屋内側振れ止め部５２４ｃ及び下部振れ止め部５２４ｂは、一体として形成されている。屋外側振れ止め部５２４ａと屋内側振れ止め部５２４ｃとの間に、上枠４１の屋外側突出部４１２が配置されている。屋外側振れ止め部５２４ａと屋内側振れ止め部５２４ｃとで屋外側突出部４１２を屋内外方向に挟み込むことで、外障子５０Ａの屋内外方向の移動が規制されている。
【００７０】
次に、内窓４の内障子５０Ｂの戸先框５４及び召合せ框５５に設けられた振れ止め部材（振れ止め部）５２５について説明する。
【００７１】
各振れ止め部材５２５は、框空間部Ｔ２内で屋外側に配置された屋外側振れ止め部５２５ａと、框空間部Ｔ２内で屋内側に配置された屋内側振れ止め部５２５ｃと、屋外側振れ止め部５２５ａの下端部と屋内側振れ止め部５２５ｃの下端部とを連結する下部振れ止め部５２５ｂと、を有している。屋外側振れ止め部５２５ａ、屋内側振れ止め部５２５ｃ及び下部振れ止め部５２５ｂは、一体として形成されている。屋外側振れ止め部５２５ａと屋内側振れ止め部５２５ｃとの間に、上枠４１の屋内側突出部４２２が配置されている。屋外側振れ止め部５２５ａと屋内側振れ止め部５２５ｃとで屋内側突出部４２２を屋内外方向に挟み込むことで、内障子５０Ｂの屋内外方向の移動が規制されている。
なお、振れ止め部材５２４，５２５の構造は、周知の構造で形状等は適宜設定可能である。
【００７２】
外障子５０Ａ及び内障子５０Ｂには、調整材５６０が上框５２に設けられ、振れ止め部材５２４，５２５が戸先框５４の上端部及び召合せ框５５の上端部に設けられているため、外障子５０Ａを正面視して、調整材５６０と振れ止め部材５２４，５２５とは、左右方向に異なる位置に配置されている。
【００７３】
次に、内窓４の下枠４２について説明する。
図６は、図２のＥ部拡大図である。
図６に示すように、下枠４２は、下枠板部４４１と、下枠板部４４１から上方に延びる屋外側レール部（突出部）４４２、屋内側レール部（突出部）４４３及び上向き枠壁部４４４と、を有している。屋外側レール部４４２、屋内側レール部４４３、上向き枠壁部４４４は、この順に屋外側から屋内側に向かって配置されている。
【００７４】
下枠板部４４１は、平板状に形成され、板厚方向を上下方向に向けて配置されている。下枠板部４４１は、床材等の仕上げ材Ｔの上面に螺子等で固定されている。
【００７５】
屋外側レール部４４２、屋内側レール部４４３及び上向き枠壁部４４４は、平板状に形成され、板厚方向を屋内外方向に向けて配置されている。
【００７６】
次に、内窓４の外障子５０Ａの下框５３について説明する。
下框５３は、屋外側に配置される下外板部５４１と、屋内側に配置される下内板部５４２と、下外板部５４１と下内板部５４２とを連結する複数の下連結板部５４３と、を有している。
【００７７】
下外板部５４１及び下内板部５４２は、平板状に形成され、板厚方向を屋内外方向に向けて配置されている。
【００７８】
下連結板部５４３は、平板状に形成され、板厚方向を上下方向に向けて配置されている。
【００７９】
下外板部５４１と、下内板部５４２と、上下方向に離間して配置された２枚の下連結板部５４３との間には、金属製の下框芯材Ｚ２が設けられている。下框芯材Ｚ２は、戸先框２４及び召合せ框２５の框空間部Ｔ１内に設けられた金属製の縦框芯材Ｚ１（図３参照。以下同じ。）と連結されている。なお、下框芯材Ｚ２は縦框芯材Ｚ１と連結されていなくてもよい。
【００８０】
下外板部５４１と下内板部５４２との間において、下部には、戸車５４４が設けられている。戸車５４４が下枠４２の屋外側レール部４４２に載置されることにより、外障子５０Ａは左右方向にスライド可能とされている。
【００８１】
下外板部５４１の下端部には、屋内側に向かって延びる延出壁部５４６が設けられている。延出壁部５４６の屋内側の端部には、上方に向かって延びる取付壁部５４７が設けられている。
【００８２】
取付壁部５４７の屋内側の面には、気密材５４９が設けられている。気密材５４９は、取付壁部５４７に固定される固定部５４９ａと、固定部５４９ａの下端部から屋内側に向かうにしたがって次第に下方に向かって延びる下向き片５４９ｂと、下向き片５４９ｂの下端部から屋内側に向かうにしたがって次第に上方に向かって延びる返し片５４９ｃと、を有している。返し片５４９ｃの屋内側の端部（上端部）は、下枠４２の屋外側レール部４４２の屋外側の面に当接している。
【００８３】
下内板部５４２の下端部には、屋外側に向かって延びる延出壁部５５６が設けられている。延出壁部５５６の屋外側の端部には、上方に向かって延びる取付壁部５５７が設けられている。
【００８４】
下外板部５４１、延出壁部５４６、取付壁部５４７、下側の下連結板部５４３、下内板部５４２、延出壁部５５６及び取付壁部５５７により、外障子５０Ａの下端部から上方に凹む下部凹溝（凹溝）５５８が形成されている。下部凹溝５５８内には、屋外側レール部４４２の先端部（上端部）が配置されている。
【００８５】
下内板部５４２における屋外側を向く面（第二面）には、屋外側（対向する屋外側レール部４４２側）に向かって突出する調整材（負圧当接部）５７０が設けられている。
【００８６】
本実施形態では、調整材５７０は、下框５３の左右方向の略中央に設けられている。調整材５７０は、下框５３の左右方向の少なくとも一箇所に設けられていればよく、複数箇所に設けられていてもよい。なお、下框５３の左右方向には、調整材５７０が設けられていない箇所がある。
【００８７】
調整材５７０は、基部５７１と、基部５７１から下方に突出し屋内外方向に離間して配置された一対の第一壁部５７２及び第二壁部５７３と、を有している。第一壁部５７２は、第二壁部５７３よりも屋外側に配置されている。
【００８８】
第一壁部５７２は、取付壁部５５７の屋外側の面に沿って配置されている。第一壁部５７２は、屋外側レール部４４２の屋内側の面（第一面）と隙間ＳＢを有して屋内側に配置されている。第一壁部５７２の下端部は、延出壁部５５６よりも下方に延びている。
【００８９】
第二壁部５７３は、取付壁部５５７と下内板部５４２との間に配置されている。第二壁部５７３と第一壁部５７２とにより、取付壁部５５７を屋内外方向に挟み込んでいる。
【００９０】
内窓４の内障子５０Ｂの下框５３の構成は、外障子５０Ａの下框５３の構成と同様であり、同様に構成については同一の符号を付して説明を省略する。内障子５０Ｂの戸車５４４が下枠４２の屋内側レール部４４３に載置されることにより、内障子５０Ｂは左右方向にスライド可能とされている。内障子５０Ｂの下部凹溝５５８内には、屋内側レール部４４３の先端部（上端部）が配置されている。内窓４の内障子５０Ｂにも、気密材５４９及び調整材５７０が設けられている。気密材５４９の返し片５４９ｃの屋内側の端部（上端部）は、下枠４２の屋内側レール部４４３の屋外側の面に当接している。調整材５７０は、屋内側レール部４４３の屋内側の面（第一面）と隙間ＳＢを有して配置されている。
【００９１】
次に、内窓４に設けられた気密材について説明する。
上記に示す気密材５２９，５３９，５４９の他に、図２に示すように、外障子５０Ａの下框５３の下端部には、屋外側レール部４４２の屋内側で調整材５７０が設けられていない箇所に、気密材５５１が設けられている。また、内障子５０Ｂの下框５３の下端部には、屋内側レール部４４３の屋内側で調整材５７０が設けられていない箇所に、気密材５５１が設けられている。気密材５４９，５５１により、外障子５０Ａの下框５３の下端部と屋外側レール部４４２との間は閉塞されている。気密材５４９，５５１により、内障子５０Ｂの下框５３の下端部と屋内側レール部４４３との間は閉塞されている。
【００９２】
また、図３に示すように、外障子５０Ａの戸先框５４の左右方向の端部には、縦枠４３との間に気密材５５２が設けられている。気密材５５２により、外障子５０Ａが閉じた状態で、戸先框５４と縦枠４３との間は閉塞されている。
【００９３】
外障子５０Ａの召合せ框５５の屋内側の面には、気密材５６９が設けられている。内障子５０Ｂの召合せ框５５の屋外側の面には、気密材５８９が設けられている。外障子５０Ａ及び内障子５０Ｂが閉じた状態で、気密材５６９，５８９により、互いの召合せ框５５間は閉塞されている。
【００９４】
内障子５０Ｂの戸先框５４の左右方向の端部には、縦枠４３との間に気密材５５３が設けられている。気密材５５３により、内障子５０Ｂが閉じた状態で、戸先框５４と縦枠４３との間は閉塞されている。
【００９５】
次に、上記の二重サッシ１００において、負圧が生じた際の空気の流れや圧力について説明する。
図７は、負圧が生じた際の外障子５０Ａ及び内障子５０Ｂの上部を示し、屋内外方向及び鉛直方向に沿う断面図である。
外窓１及び内窓４が閉塞された閉塞状態で、負圧が生じると、図７に示すように、内窓４では、外障子５０Ａ及び内障子５０Ｂはそれぞれ屋外側に移動する。
図６に示す内窓４の上部では、外障子５０Ａの調整材５６０における屋外側を向く面が、屋外側突出部４１２の屋外側突出枠壁部４１４の屋内側を向く面と当接する。また、内障子５０Ｂの調整材５６０における屋外側を向く面が、屋内側突出部４２２の屋内側突出枠壁部４２４の屋内側を向く面と当接する。これにより、屋外側突出枠壁部４１４と及び屋内側突出枠壁部４２４と取付壁部５３７との間には、調整材５６０が設けられていない箇所において、調整材５６０の取付壁部５３７からの突出厚み分の隙間ＳＸが形成される。空気は、隙間ＳＸを通過して、内窓４と外窓１との間へと流通する。
内窓４の下部では、外障子５０Ａの調整材５７０における屋外側を向く面が、屋外側レール部４４２の屋内側を向く面と当接する。また、内障子５０Ｂの調整材５７０における屋外側を向く面が、屋内側レール部４４３の屋内側を向く面と当接する。これにより、屋外側レール部４４２及び屋内側レール部４４３と取付壁部５５７との間には、調整材５７０が設けられていない箇所において、調整材５７０の取付壁部５５７からの突出厚み分の隙間が形成される。空気は、当該隙間を通過して、内窓４と外窓１との間へと流通する。
【００９６】
図８は、二重サッシ１００の外窓１において、負圧が生じた際の挙動を示し、屋内外方向及び鉛直方向に沿う断面図である。
また、図８に示すように、外窓１では、外障子２０Ａ及び内障子２０Ｂが負圧を受けて屋外側に変位すると、外障子２０Ａの振れ止め部材２２４の屋内側振れ止め部２２４ｃが上枠１１の屋外側突出枠壁部１１３の屋内側の面に当接する。また、内障子２０Ｂの振れ止め部材２２５の屋内側振れ止め部２２５ｃが上枠１１の屋内側突出枠壁部１１４の屋内側の面に当接する。外障子２０Ａ及び内障子２０Ｂの上内板部２２２と屋外側突出枠壁部１１３及び屋内側突出枠壁部１１４との間には、それぞれ隙間Ｓ１が生じている。
【００９７】
また、外障子２０Ａ及び内障子２０Ｂの気密材２２９と屋外側突出枠壁部１１３及び屋内側突出枠壁部１１４との間には、それぞれ形成される隙間Ｓ２が生じている。
【００９８】
図８では外障子２０Ａ及び内障子２０Ｂの上外板部２２１、上内板部２２２及び上連結板部２２３の左右方向の両端部側の挙動を二点鎖線で示し、上外板部２２１、上内板部２２２及び上連結板部２２３の左右方向の中央側の挙動を実線で示している。外障子２０Ａ及び内障子２０Ｂの左右方向の両端部側では、振れ止め部材２２４の屋内側振れ止め部２２４ｃ及び振れ止め部材２２５の屋内側振れ止め部２２５ｃがそれぞれ屋外側突出枠壁部１１３及び屋内側突出枠壁部１１４に当接して、外障子２０Ａ及び内障子２０Ｂの変位が抑制されている。外障子２０Ａ及び内障子２０Ｂの左右方向の中央側では、左右方向の両端部側よりも、屋外側に撓むように変位している。これにより、隙間Ｓ２は、左右方向の中央側で大きくなっている。
【００９９】
上記のように内窓４を通過してきた空気は、内窓４と外窓１との間から、外窓１の内障子２０Ｂの上框２２の上内板部２２２と屋内側突出枠壁部１１４との間の隙間Ｓ１を通過して、上框２２の気密材２２９と上枠１１の屋内側突出枠壁部１１４との間の隙間Ｓ２を通過する。さらに、空気は、外障子２０Ａの上框２２の上内板部２２２と屋外側突出枠壁部１１３との間の隙間Ｓ１を通過して、上框２２の気密材２２９と上枠１１の屋外側突出枠壁部１１３との間の隙間Ｓ２を通過する。
【０１００】
このように、内窓４から外窓１まで、連通して隙間（空気の流路）が生じるため、内窓４の屋内側と屋外側との圧力差が低減される。
【０１０１】
このように構成された二重サッシ１００では、外窓１及び内窓４が閉塞された閉塞状態で、負圧が生じた際に、内窓４の外障子５０Ａ及び内障子５０Ｂは屋外側に移動する。外障子５０Ａの調整材５６０における屋外側を向く面が、屋外側突出枠壁部４１４の屋内側を向く面と当接する。また、内障子５０Ｂの調整材５６０における屋外側を向く面が、屋内側突出枠壁部４２４の屋内側を向く面と当接する。また、外障子５０Ａの調整材５７０における屋外側を向く面が、屋外側レール部４４２の屋内側を向く面と当接する。また、内障子５０Ｂの調整材５７０における屋外側を向く面が、屋内側レール部４４３の屋内側を向く面と当接する。これにより、内窓４の上端部では、屋外側突出枠壁部４１４と取付壁部５３７との間及び屋内側突出枠壁部４２４と取付壁部５３７との間には、調整材５６０が設けられている箇所以外の箇所において、調整材５６０の突出厚み分の隙間ＳＸが形成される。また、内窓４の下端部では、屋外側レール部４４２と取付壁部５５７との間及び屋内側レール部４４３と取付壁部５５７との間には、調整材５７０が設けられている箇所以外の箇所において、調整材５７０の突出厚み分の隙間が形成され、空気の流通が可能となる。また、外窓１では、負圧が生じた際に、空気が屋内側から屋外側に流通可能となる。よって、負圧が生じた際に、内窓４の屋内側から外窓１の屋外側まで連通した空気の流路ができるため、内窓４の屋内側と屋外側との圧力差（内窓４に作用する圧力）を低減させることができ、内窓４の外障子５０Ａ及び内障子５０Ｂが枠体４０から外れることが抑制される。
【０１０２】
また、調整材５６０は、正面視で、振れ止め部材５２４，５２５と異なる位置に配置されている。よって、外障子５０Ａ及び内障子５０Ｂの左右方向の両端部では屋内外方向に移動が抑制されるとともに、振れ止め部材５２４，５２５及び調整材５６０が設けられている箇所以外の箇所において、調整材５６０，５７０の突出厚み分の隙間ＳＸを確実に形成することができる。
【０１０３】
また、調整材５６０の第一壁部５６２の上端部は、延出壁部５３６よりも上方に延びていて、調整材５７０の第一壁部５７２の下端部は、延出壁部５５６よりも下方に延びている。よって、調整材５６０と屋外側突出部４１２及び屋内側突出部４２２とが屋内外方向に重なる上下方向に長さ（かかり代）、及び調整材５７０と屋外側レール部４４２及び屋内側レール部４４３とが屋内外方向に重なる上下方向に長さを長く確保することができるため、内窓４の外障子５０Ａ及び内障子５０Ｂが枠体４０から外れることが一層抑制される。
【０１０４】
また、調整材５６０の上端部における屋外側を向く面に、上方に向かうにしたがって次第に屋内側に向かうように傾斜する上部傾斜部５６４が形成されている。よって、調整材５６０が屋外側突出部４１２及び屋内側突出部４２２に接触した場合でも、上部傾斜部５６４が屋外側突出部４１２及び屋内側突出部４２２に案内されるため、建て込みやすい。
【０１０５】
なお、上述した実施の形態において示した各構成部材の諸形状や組み合わせ等は一例であって、本発明の主旨から逸脱しない範囲において設計要求等に基づき種々変更可能である。
【０１０６】
例えば、上記に示す実施形態では、調整材５６０は、上框５２の取付壁部５３７及び下框５３の取付壁部５５７における屋外側を向く面に設けられているが、本発明はこれに限られない。負圧当接部は、上枠及び下枠の少なくとも一方の突出部における屋内側を向く第一面から屋内側に向かって突出するように設けられていてもよい。この場合には、通常時には負圧当接部は（凹溝における第一面と対向する）第二面と隙間を有して配置され、負圧が生じた際には負圧当接部は第二面に当接可能とされていればよい。
【０１０７】
また、上記に示す実施形態では、調整材５６０は、上框５２及び下框５３の両方に設けられているが、本発明はこれに限られない。上框５２及び下框５３の少なくとも一方に設けられていればよい。
【０１０８】
調整材５６０の第一壁部５６２の上端部は、延出壁部５３６よりも上方に延びているが、本発明はこれに限られない。調整材の上端部が上框５２の上端部よりも下方に配置されていてもよい。また、調整材５７０の第一壁部５７２の下端部は、延出壁部５５６よりも下方に延びているが、調整材の下端部が下框５３の下端部よりも上方に配置されていてもよい。
【０１０９】
また、上記に示す実施形態では、外窓１は引違いサッシであるが、本発明はこれに限られない。外窓は、負圧が生じた際に、空気を屋外側に流通可能となればよく、片引戸や上げ下げ窓であってもよい。
【０１１０】
また、上記に示す実施形態では、内窓４は引違いサッシであるが、本発明はこれに限られず、枠体内でスライド可能に設けられた片引き戸であってもよい。
【０１１１】
また、上記に示す実施形態では、外窓１及び内窓４のガラス２９，５９は、それぞれ単層の板ガラスであるが、本発明はこれに限られず、複層ガラス等であってもよい。
【０１１２】
また、内窓４の外障子５０Ａにおいて、屋外側突出部４１２の屋外側及び屋内側にそれぞれ気密材５２９，５３９が設けられ、屋外側突出部４１２を挟んで屋内外両側で気密性が確保されている。また、屋外側レール部４４２の屋外側及び屋内側にそれぞれ気密材５４９，５５１が設けられ、屋外側レール部４４２を挟んで屋内側両側で気密性が確保されている。また、外障子５０Ａと縦枠４３との間には気密材５５２が設けられ、気密性が確保されている。また、内窓４の内障子５０Ｂでも、屋内側突出部４２２の屋外側及び屋内側にそれぞれ気密材５２９，５３９が設けられ、屋内側突出部４２２を挟んで屋内外両側で気密性が確保されている。また、屋内側レール部４４３の屋外側及び屋内側にそれぞれ気密材５４９，５５１が設けられ、屋内側レール部４４３を挟んで屋内側両側で気密性が確保されている。また、内障子５０Ｂと縦枠４３との間には気密材５５３が設けられ、気密性が確保されている。また、外障子５０Ａの召合せ框５５と内障子５０Ｂの召合せ框５５との間には、気密材５６９，５８９が設けられ気密性が確保されている。つまり、本実施形態の内窓４は、気密性が高く、負圧が生じた際には、内窓４に大きな負圧が作用しやすい。よって、中間層Ｍ（図２参照）から外窓１に形成された隙間Ｓ１，Ｓ２まで連通した空気の流路を形成して、中間層Ｍの圧力を低減させることは、気密性が高い内窓４の外障子５０Ａ及び内障子５０Ｂが枠体４０から外れさせないために、重要な構成である。
【符号の説明】
【０１１３】
１…外窓
４…内窓
１０，４０…枠体
１１，４１…上枠
１２，４２…下枠
１３，４３…縦枠
２０Ａ，５０Ａ…外障子
２０Ｂ，５０Ｂ…内障子
２１，５１…框体
２２，５２…上框
２３，５３…下框
２４，５４…戸先框
２５，５５…召合せ框
２７，５７…ガラス保持溝
２９，５９…ガラス
３０…網戸
１００…二重サッシ
４１２…屋外側突出部（突出部）
４２２…屋内側突出部（突出部）
４４２…屋外側レール部（突出部）
４４３…屋内側レール部（突出部）
５２４，５２５…振れ止め部材（振れ止め部）
５３８…上部凹溝（凹溝）
５５８…下部凹溝（凹溝）
５６０，５７０…調整材（負圧当接部）
５６４…上部傾斜部
Ｐ…開口部
Ｓ１，Ｓ２，ＳＡ，ＳＢ，ＳＸ…隙間
Ｗ…壁部
【図１】
2019116769.tif 000003
【図２】
2019116769.tif 000004
【図３】
2019116769.tif 000005
【図４】
2019116769.tif 000006
【図５】
2019116769.tif 000007
【図６】
2019116769.tif 000008
【図７】
2019116769.tif 000009
【図８】
2019116769.tif 000010